(57)【特許請求の範囲】
【請求項１】
基本部分及び少なくとも補足部分を有する時間進行オーディオ−ビジュアル表示を与えるシステムであって、前記基本部分及び前記補足部分をそれぞれ記録する機能的に識別し得る２個の記録媒体と、前記基本部分と前記補足部分とをオーディオ−ビジュアル表示に併合する併合手段とを具えるシステムにおいて、
前記補足部分は、前記オーディオ−ビジュアル表示の時間進行を保持しながら、前記基本部分のみで実現できるオーディオ−ビジュアル表示の品質を向上させ、
前記基本部分を含む記録媒体は、前記併合手段の近くに配置され、
前記補足部分を含む記録媒体は、通信回路網の伝送ラインを介して前記併合手段にリンクされていることを特徴とするシステム。
【請求項２】
請求項１に記載のシステムにおいて、前記併合手段が、前記基本部分と前記補足部分とをリアルタイムで併合するように構成されていることを特徴とするシステム。
【請求項３】
請求項１または２に記載のシステムにおいて、前記オーディオ−ビジュアル表示は、ＭＰＥＧ符号器により基本部分と補足部分とに分割され、前記併合手段が前記基本部分と前記補足部分とを前記オーディオ−ビジュアル表示に併合するＭＰＥＧ復号器を具えることを特徴とするシステム。
【請求項４】
請求項１〜３のいずれか１項に記載のシステムにおいて、さらに制御手段を具え、読出し手段が、前記基本部分及び前記補足部分が記録されている前記記録媒体の位置に関する予め与えられた情報に応じて、前記基本部分及び前記補足部分を読み出すようにしたことを特徴とするシステム。
【請求項５】
請求項４に記載のシステムにおいて、前記記録媒体が、前記基本部分及び前記補足部分に属するデータを含むセクタに副分割され、前記位置情報が前記セクタの番号を含むことを特徴とするシステム。
【請求項６】
請求項４又は５に記載のシステムにおいて、前記併合手段に供給されるデータストリームを相互に同期させる同期手段を具え、前記データストリームが前記基本部分及び前記補足部分に属するデータを含むことを特徴とするシステム。
【請求項７】
請求項６に記載のシステムにおいて、前記同期手段が前記データストリームを受信するファーストイン・ファーストアウトの原理に基づくバッファを具え、前記同期手段は、前記バッファのパッキングファクタを監視し、前記パッキングファクタに応じて、前記制御手段に制御情報を供給するように構成され、前記制御手段は、前記制御情報により前記データストリームのフロー制御を行なうように構成されていることを特徴とするシステム。
【発明の詳細な説明】
【０００１】
【発明の属する技術分野】
本発明は、基本部分及び少なくとも補足部分を有する時間進行オーディオ−ビジュアル表示を与えるシステムであって、基本部分及び補足部分をそれぞれ記録する機能的に識別し得る２個の記録媒体と、基本部分と補足部分とを併合する併合手段とを具えるオーディオ−ビジュアル表示を与えるシステムに関するものである。
【０００２】
【従来技術】
このようなシステムは、フランス国特許出願第２５９６６０５号明細書から既知である。この特許出願明細書において、このシステムは種々の支店をそれぞれ有するチェーンストアで市販されるビデオシステムを有している。チェーンストアの支店においては、ビデオテープである第１の記録媒体が併合手段の近くに配置されている。別の記録手段も、別の位置に配置され電話回線を介して併合手段にリンクされている。この併合手段により発生したオーディオ−ビジュアル表示は伝送され、その店の人目につく位置に配置されたビデオスクリーン上に表示される。ビデオテープには、しばしば変更されない基本部分が存在する。この基本部分は、例えばこのチェーンストアで販売されている製品のビデオ画像が含まれている。別の記録媒体には、一時的に用いられるように意図された補足部分が記録されている。この補足部分は、例えば販売品に関するテキストが含まれる。基本部分は、ある態様で補足部分と併合される。補足部分が記録されている記録媒体は、チェーンストアの全ての支店から情報と共に供給され得る中央位置に配置されている。この記録媒体は、補足部分だけでなくコマンドも含み、このコマンドに応じて基本部分と補足部分が併合される。補足部分及びコマンドは、店が閉店した時、例えば販売時間が終了した時に、併合手段に伝送される。その後、例えば朝、店が開店する前に、基本部分と補足部分とがコマンドに応じて併合され、その後、オーディオ−ビジュアル表示が行なわれる。前記特許出願明細書に記載されているビデオシステムは、固定的であり、コマーシャルのようなオーディオ−ビデオ表示中のしばしば変化するデータを変更するように構成されているにすぎない。この変更は、全補足部分が受信されるまで行なわれない。
【０００３】
【発明が解決しようとする課題】
本発明の目的は、より高い自由度を有すると共に、ユーザに対するより多い可能性を達成し得る冒頭部で述べたシステムを提供することにある。
【０００４】
【課題を解決するための手段】
この目的を達成するため、冒頭部で述べたシステムは、補足部分が、前記オーディオ−ビジュアル表示の時間進行を保持しながら、基本部分のみで実現できるオーディオ−ビデオ表示の品質を向上させることを特徴とする。この場合、ユーザはビデオフィルムのようなオーディオ−ビジュアル表示の品質を向上させることが可能になる。ユーザは、はじめにサービスプロバイダから、例えば無料又は低価格で低解像度の低品質のオーディオ−ビジュアル表示の基本部分が提供され、ユーザはより高価な費用を支払って補足部分すなわちより完全なオーディオ−ビジュアル表示を購入することを希望するか否かを決定する。
【０００５】
本発明によるシステムの実施例は、基本部分を含む記録媒体が併合手段の近くに配置され、補足部分を含む記録媒体が通信回路網の伝送ラインを介して併合手段にリンクされていることを特徴とする。この通信回路網は、例えば公衆電話回路網とする。補足部分を含む記録媒体は、例えばプロバイダにより制御されるデータバンク内に配置される。データバンクに記録されている補足部分は、本発明によるシステムの複数のユーザにより電話回線を介してアクセスすることができる。
【０００６】
本発明によるシステムの別の実施例は、併合手段が、基本部分と補足部分とをリアルタイムで併合するように構成されていることを特徴とする。この結果、オーディオ−ビジュアル表示は、ユーザによる要求があった後、直ちに供給され得る。
【０００７】
本発明によるシステムの別の実施例は、オーディオ−ビジュアル表示が、ＭＰＥＧ符号器により基本部分と補足部分とに分割され、併合手段が基本部分と補足部分とをオーディオ−ビジュアル表示に併合するＭＰＥＧ復号器を具えることを特徴とする。ＭＰＥＧ２は、いわゆる空間スケーラビリティの機能を有する。空間スケーラビリティにおいて、２つのいわゆるビデオレイヤが許される。下位レイヤ及びエンハンスメントレイヤである。下位レイヤは、基本部分により表される。エンハンスメントレイヤは、補足部分により表される。基本部分により、基本レベルの画像解像度のオーディオ−ビジュアル表示が行なわれる。基本部分及び補足部分が一緒になって、高画像解像度が得られる。
【０００８】
本発明によるシステムの別の実施例は、さらに制御手段を具え、読出し手段が、基本部分及び補足部分が記録されている記録媒体の位置に関する予め与えられた情報に応じて、基本部分及び補足部分を読み出すようにしたことを特徴とする。このように構成すれば、基本部分及び補足部分が速やかに検出され読み出される。
【０００９】
本発明によるシステムの別の実施例は、記録媒体が、基本部分及び補足部分に属するデータを含むセクタに副分割され、位置情報がセクタの番号を含むことを特徴とする。セクタに副分割することにより、読出し手段は、基本部分及び補足部分に属するデータが配置されているセクタのセクタ番号だけを受信するだけですむ。従って、読出し手段は、セクタのデータを連続的に読み出すことができる。
【００１０】
本発明によるシステムの別の実施例は、併合手段に供給されるデータストリームを相互に同期させる同期手段を具え、データストリームが基本部分及び補足部分に属するデータを含むことを特徴とする。基本部分が記録されている記録媒体又は補足部分が記録されている記録媒体から併合手段までのデータストリームの遅延が相異するおそれがあるため、同期手段は必要である。データストリームを相互に同期させることにより、基本部分に属するデータ及び補足部分に属するデータは、正しい瞬時に併合手段に供給される。
【００１１】
本発明によるシステムの別の実施例は、同期手段がデータストリームを受信するファーストイン・ファーストアウトの原理に基づくバッファを具え、同期手段が、バッファのパッキングファクタを監視し、パッキングファクタに応じて、制御手段に制御情報を供給するように構成され、制御手段が、制御情報によりデータストリームのフロー制御を行なうように構成されていることを特徴とする。読出し手段は、記録媒体からデータを特定の速度で読み出すように構成されている。バッファのパッキングファクタに応じて、制御手段はコマンドを読出し、手段に送り、データを読み出し、又はデータの読出しを停止する。
【００１２】
【発明の実施の形態】
図面を参照して、本発明を詳細に説明する。
【００１３】
図１は、本発明によるシステムを示す。このシステムは、例えばマルチメディアのデータをオーディオ及びビデオに処理できるＣＤ−ｉとする。しかし、本発明は、このシステムに限定されるものではない。このシステムは、基本部分ｄ１を含む第１の記録媒体Ｓ１と、補足部分ｄ２を含む第２の記録媒体Ｓ２とを有する。補足部分を用いて、基本部分により実現できるオーディオ−ビジュアル表示品質を向上させる。このオーディオ−ビジュアル表示は、例えばビデオフィルムとする。これら基本部分及び補足部分は、既知の相関を有している。制御手段２の制御のもとで、基本部分及び補足部分を第１及び第２の読出し手段ｒ１及びｒ２によりある速度で読み出す。この結果、基本部分に属するデータを含む第１のデータストリームｄｓ１、及び補足部分に属するデータを含む第２のデータストリームｄｓ２が発生する。これらデータストリームｄｓ１及びｄｓ２を、必要に応じて２個のデータストリーム間の遅延差を相殺する同期手段３に供給する。同期手段及び制御手段は一緒になって、データストリームの制御を行なう。同期手段は、第１及び第２のデータストリームをモニタし、制御情報ｃｉ１を制御手段２に送る。この制御情報に応じて、制御手段２はＳＴＡＲＴコマンドにより読出し手段に対してデータの読出しの開始を指示する。このＳＴＡＲＴコマンドは、記録媒体に記録されているデータの位置に関する位置情報を含んでおり、ＳＴＯＰコマンドはあるデータの読出しを停止させる。２つのデータストリームは、併合手段１に供給される。同期手段及び併合手段は、制御情報ｃｉ２を交換する。この情報は、例えば基本部分及び補足部分に属するどのデータが、ある特定の瞬時において併合手段に供給されるかを示す。併合手段は、基本部分及び補足部分を信号“sign”に併合する。この信号は、テレビジョンセット５に表示するために供給されるビデオ信号である。
【００１４】
このシステムは、複数の構成要素に副分割される。ＣＤ−ｉプレーヤである装置６において、データストリームはオーディオ−ビジュアル表示を表わす信号に併合される。この信号は、テレビジョンセット５に表示される。さらに、このシステムは、第２の記録媒体Ｓ２が存在するデータバンクを具える。このデータバンク７は、装置６とは異なる位置にあり、電話回線ｔ１により装置６に接続される。
【００１５】
図２は、第２の記録媒体Ｓ２が存在するデータバンク７を示す。第２の記録媒体Ｓ２は、ＣＰＵ７１に結合される。ＣＰＵ７１は、多数のネットワークインタフェースＩ１・・・Ｉｎが接続されるバス７２に結合される。システムの制御手段２から到来したコマンドにより、ＣＰＵの制御のもとで記録媒体の予め定めた位置から読み出される補足部分に属するデータが発生される。これらのデータは、インタフェースＩ１のバス７２を介して、公衆電話回線網ＰＳＴＮの電話回線ｔ１を経て、ＣＤ−ｉプレーヤ６に伝送される。データバンク７は、別のインタフェースＩ２・・・Ｉｎを含む。これらインタフェースは、別のＣＤ−ｉプレーヤと通信する手段である。データバンクは、種々のデータを複数のＣＤ−ｉプレーヤに同時に供給することができる。データバンク７は、例えばビデオ−オン−デマンドサービスを行なうように構成することができる。ビデオ−オン−デマンドサービスを利用して、ビデオフィルムデータを、要求に応じてＣＤ−ｉプレーヤに供給する。データバンク７はプロバイダにより制御することができ、このプロバイダは無料又は低価格でＣＤ−ｉデイスタの基本部分をユーザに供給すると共に、より高価格の支払いを条件にユーザがデータバンクから他のを部分の読出すことを可能にする。
【００１６】
図３ａは、第１の記録媒体の構造を示す。システムがＣＤ−ｉプレーヤの場合、第１の記録媒体はＣＤ−ｉディスクである。このＣＤ−ｉディスクは、規定の構造を有する。ＣＤ−ｉディスクは、いわゆるリードイン区域ｌｉを有し、これに多数のトラックＴ１・・・Ｔｎが続き、これらトラックの最後にリードアウト区域ｌｏが続く。第１のトラックＴ１には、一定の位置にディスクラベルｄ１が存在する。このディスクラベルは、ファイルを記述する形態の位置情報ｐｉを含み、これらファイルは、ディスク上及びデータバンク７の記録手段に配置される。ファイルに属するデータは、一定で相互に等しい長さを有するセクタに副分割される。各セクタは、固有のアドレスを有する。
【００１７】
図３ｂは、セクタの構造を示す。セクタは、ヘッダｈ及びサブヘッダｓｈを有し、これらヘッダ及びサブヘッダは一定の長さを有し、その後に一定数のユーザデータｕｓｄが続く。ヘッダｈは、例えばセクタのアドレスに関する情報を含む。ＣＤ−ｉプレーヤに関する詳細な情報については、１９９１年にクルーツ，デベンタから発行された“コンパクト  ディスク  インタラクティブ  ア  デザイナーズ  オーバービュー（Compact Disc Interactive A Designer’a Overview）を参照することができる。
【００１８】
図４は、基本部分に属するデータ及び補足部分に属するデータが配置されている第１及び第２の記録媒体のセクタを示す。基本部分に属するデータは、第１の記録媒体のセクタｘ（Ｍ）・・・ｘ（Ｍ＋Ｎ）に配置され、補足部分に属するデータは、第２の記録媒体のセクタｙ（Ｐ）・・・ｙ（Ｐ＋Ｑ）に配置される。ユーザがオーディオ−ビジュアル情報の再生を要求した場合、読出し手段は、制御手段２の制御のもとで第１及び第２の記録媒体の第１のセクタｘ（Ｍ），ｙ（Ｐ）からデータの読出しを開始する。このため、制御手段はＣＤ−ｉディスクから位置情報Ｐｉを予め読み出す。次に、次のセクタｘ（Ｍ＋１）・・・ｘ（Ｍ＋Ｎ），ｙ（Ｐ＋１）・・・（Ｐ＋Ｑ）を順次読み出す。基本部分と補足部分との間の相関に応じて、併合手段は２つのデータストリームを併合する。基本部分に属するデータが配置されているセクタＮの数を、補足部分に属するデータが配置されているセクタＱの数に等しくする必要はない。
【００１９】
図５は、同期手段３を示す。この同期手段は、ファーストイン・ファーストアウト（ＦＩＦＯ）の原理に基づく第１及び第２のバッファｆ１及びｆ２を具え、第１のバッファｆ１に第１のデータストリームｄｓ１を供給し、第２のバッファｆ２に第２のデータストリームｄｓ２を供給する。同期制御手段３１は、２個のバッファのパッキングファクタを監視する。セクタヘッダ内の情報に応じて、同期制御手段はどのデータがバッファに存在するかを検出することができる。これらのデータに基づき、同期制御手段は制御情報ｃｉ１を制御手段に送る。制御手段は、前述したように、この情報によりデータストリーム制御を与える。バッファがほぼ満杯の場合、データの読出しを停止する。バッファがほぼ空の場合、データの読出しを再開する。
【００２０】
図６は、データを基本部分及び補足部分に副分割する方法、及びこれらの部分を第１及び第２の記録媒体に記録する方法を示す。副分割手段８は、アナログビデオ信号をディジタルビデオ信号に変換するＭＰＥＧ１ビデオ符号器８１を有する。符号器により、基本部分に属するデータ及び補足部分に属するデータの両方を含むデータストリームdstotが発生する。ＭＰＥＧ１はビデオ符号化規格であり（公称名称、ＩＳＯ／ＩＥＣ  １１１７２）、この規格ではデータ圧縮が用いられる。ＭＰＥＧ１は、いわゆるインタフレーム符号化に関係している。従って、フレームは、時間単位当たり一回完全に符号化される。このフレームは、イントラ符号化画像（Intra Coded Picture）と称される。２個のイントラ符号化画像間の期間中には、予測符号化画像（Predictive Coded Picture）及び双方向予測符号化画像（Bidirectional Predictive Coded Picture）が存在する。予測符号化画像は、前の予測符号化画像又は前のイントラ符号化画像について符号化される。双方向予測符号化画像は、前及び次のイントラ符号化画像又は予期符号画像について符号化される。ＭＰＥＧ１データストリームであるデータストリームdstotは、スイッチング素子８２に供給される。このスイッチング素子は、データストリームdstotを第１の記録媒体と第２の記録媒体との間で、特定の速度で切り換える。イントラ符号化画像に属するデータは、記録媒体ｓ１に切換えられる。これらのデータは、基本部分を構成する。予測符号化画像及び双方向予測符号化画像に属するデータは、第２の記録媒体に切換えられる。これらのデータは、補足部分を構成する。この符号化方法に関するより多くの情報は、ＩＳＯ／ＩＥＳ１１７２規格の第２セクションの章Ｉ．２．１（Fig２Ｉ．１）に記載されている。ＭＰＥＧＩ符号器のブロック線図は、この規格の第２セクションの章１．３（Fig２−Ｉ．２）に記載されている。
【００２１】
図７は、第１の方法で副分割された基本部分と補足部分とを併合する併合手段を示す。基本部分に属するデータ及び補足部分に属するデータを含むデータストリームｄｓ１及びｄｓ２は、併合手段１に供給される。スイッチＩ２は、第１のデータストリームと第２のデータストリームとを切換えるので、データストリームdstotにおいてイントラ符号化画像を含む基本部分と、予測符号化画像及び双方向予測符号化画像を含む補足部分とが正しい順序で発生する。次に、データストリームdstotはＭＰＥＧ１復号器１１に供給され、この復号器によりデータストリームは表示用の信号“sign”に変換される。ユーザが補足部分を希望しない場合、イントラ符号化画像を含む基本部分だけが復号器１１に供給される。この場合、ユーザには毎秒数回完全な静止画像が与えられる。ユーザが補足部分も用いる場合、オーディオ−ビジュアル表示全体が与えられる。ＭＰＥＧ１復号器のブロック線図は、ＩＳＯ／ＩＥＣ  １１１７２規格の第２セクションの１．４章（Fig２−Ｉ．４）に記載されている。
【００２２】
図８は、データを基本部分及び補足部分に副分割し、第１及び第２の記録媒体に記録する第２の方法を示す。副分割手段８は、ビデオ信号を符号化するように構成されたＭＰＥＧ２符号器８３を具える。ＭＰＥＧ２は、データ圧縮が用いられるビデオ符号化規格についての提案である。ＭＰＥＧ２は、ＩＴＵ−Ｒ  Ｄｒａｆｔ  Ｒｅｃ．Ｈ．２６２（１９９３年１１月２５日）のＩＳＯ／ＩＥＣ１３８１８−２に記載されている。ＭＰＥＧ２は、いわゆる空間スケーラビリティ（Spatial scalability）についての機構に関係している。空間スケーラビリティの場合、２つのいわゆるビデオレイヤが許される。下位レイヤ（lower layer）及びエンハンスメントレイヤ（enhancement layer）である、下位レイヤは基本部分に属するデータにより表わされ、このデータはＭＰＥＧ２符号器８３により発生した第１のデータストリームを構成する。エンハンスメントレイヤは補足部分に属するデータにより表わされ、このデータは第２のデータストリームを形成する。復号化の際、基本部分に属するデータにより基本レベルの画像解像度が生ずる。復号化の際、基本部分及び補足部分に属するデータは一緒になって高画像解像度を形成する。ＭＰＥＧ２の空間スケーラビリティは、ＩＴＵ−Ｔ  Ｄｒａｆｔ  Ｒｅｃ．Ｈ．２６２の第Ｉ．４．２章に記載されている。ＭＰＥＧ２符号器８３は、ＩＳＯ−ＩＥＣ／ＪＴＣ１／ＳＣ２９／ＷＧ１１ Coded Representation of Picture and Audio Information,Test model5,Draft,１９９３年４月の第２．２章（Fig２．２）に記載されている。データストリームｄｓ１，ｄｓ２は、記録媒体ｓ１，ｓ２に供給され、基本部分ｄ１及び補足部分ｄ２が記録される。
【００２３】
図９は、第２の方法で副分割された基本部分に補足部分を併合する併合手段を示す。併合手段は、第１及び第２のデータストリームをオーディオ−ビジュアル表示用の信号“sign”に変換するＭＰＥＧ２復号器１３を具える。復号器１３は、第１及び第２のデータストリームｄｓ１，ｄｓ２を第１及び第２のサブ信号dsign１，dsign２に変換する信号処理回路１４を具える。第１のサブ信号は、下位レイヤのビデオ信号である。第２のサブ信号は、エンハンスメントレイヤのビデオ信号である。さらに、ＭＰＥＧ２データ１３は、２つのサブ信号dsign１，dsign２を加算する加算回路１５を具える。第１のサブ信号dsign１だけが存在する場合、基本レベルの画像解像度が得られる。２つの信号の和は、高い画像解像度を形成する信号“sign”を形成する。ＭＰＥＧ２復号器は、ＩＳＯ−ＪＥＣ／ＪＴＣ１／ＳＣ２９／ＷＧ１１ coded Representation of Picture and Audio Information,Test model５,Draft,１９９３年４月の第２．２章（Fig２．２）に記載されている。ＣＤ−ｉプレーヤのユーザは、基本解像度ビデオ又は高解像度ビデオのいずれを見るかを選択することができる。基本ビデオ品質を表わす基本部分ｄ１は、ＣＤ−ｉディスクに記録されている。ＣＤ−ｉディスクのユーザが高解像度ビデオを見ることを希望しない場合、第２の記録媒体から補足部分を読み出さない。従って、ユーザは基本解像度のビデオ画像を得る。
【００２４】
図１０は、本発明によるＣＤ−ｉシステムの制御手段の構成を示す。この制御手段は、ソフトウエアとして構成されている。制御手段は、アプリケーションプログラム２１、オープニングシステム２２、及びドライバ２３，２４を有する。アプリケーションプログラムは、特定のＣＤ−ｉアプリケーションに属するプログラムである。オープニングシステム２２は、記録管理、同期等のような制御を行なう。ドライバ２３，２４は、第１及び第２の記録媒体と通信する。ドライバ２３，２４と記録媒体との間に、ハードウエアディスクインターフェースｄｉ及びネットワークインターフェースｎｉが存在する。さらに、ＣＤ−ｉ制御に関する情報は、前述した１９９１年にKluwer,Deventerにより発行された“Compact Disc Interactive A Designer’s Overview”に記載されている。
【００２５】
図１１は、本発明によるシステムの別の実施例を示す。本例では、基本部分が記録されている第１の記録媒体及び補足部分が記録されている第２の記録媒体を通信回路網を介して併合手段に結合する。これら記録媒体は、別のデータバンク７′，７″に配置される。これらデータバンクは、同一のプロバイダにより制御でき、このプロバイダは基本部分を低速で供給し補足部分を高速で供給する。
【００２６】
図１２は、本発明によるシステムの別の実施例を示す。このシステムでは、基本部分が記録されている第１の記録媒体及び補足部分が記録されている第２の記録媒体は、ＣＤ−ｉプレーヤに含まれている。２個の記録媒体は、本発明によるシステムがＣＤ−ｉシステムの場合、ＣＤ−ｉディスクであり、これら記録媒体に記録されている内容は同一のプロバイダによりユーザに供給され、基本部分が記録されているＣＤ−ｉディスクよりも、補足部分が記録されているＣＤ−ｉディスクの方が高速で読み出される。あるいはまた、２個の記録媒体は、機能的には分離されているが、物理的に１個のユニットとして形成することができる。
【００２７】
【図面の簡単な説明】
【図１】図１は本発明によるシステムを示す。
【図２】図２は補足部分が記録されているデータバンクを示す。
【図３ａ】図３ａはＣＤ−ｉディスクの構造を示す。
【図３ｂ】図３ｂはＣＤ−ｉディスクの構造を示す。
【図４】図４はＣＤ−ｉディスクのセクタ及び基本部分及び補足部分が記録されているセクタのデータバンクを示す。
【図５】図５は同期手段を示す。
【図６】図６はオーディオ−ビジュアル表示を補足部分及び補足部分に副分割する第１の方法並びに第１及び第２の記録媒体の基本部分及び補足部分を示す。
【図７】図７は第１の方法により副分割された基本部分と補足部分とを併合する併合手段を示す。
【図８】図８はオーディオ−ビジュアル表示を補足部分及び補足部分に副分割する第２の方法の記録媒体の基本部分及び補足部分を示す。
【図９】図９は第２の方法により副分割された基本部分と補足部分とを併合する併合手段を示す。
【図１０】図１０は制御手段の構成を示す。
【図１１】図１１は本発明によるシステムの別の実施例を示す。
【図１２】図１２は本発明によるシステムの別の実施例を示す。
【図１】
0004435869.tif 000002
【図２】
0004435869.tif 000003
【図３ａ】
0004435869.tif 000004
【図３ｂ】
0004435869.tif 000005
【図４】
0004435869.tif 000006
【図５】
0004435869.tif 000007
【図６】
0004435869.tif 000008
【図７】
0004435869.tif 000009
【図８】
0004435869.tif 000010
【図９】
0004435869.tif 000011
【図１０】
0004435869.tif 000012
【図１１】
0004435869.tif 000013
【図１２】
0004435869.tif 000014